(57)【要約】【課題】  ネットワーク間でデータ形式を変換し、入力側のネットワークで障害が発生した場合にそのデータにアラーム表示信号を挿入して伝送するインタフェース回路において、入力側のネットワークのクロックを抽出できなかった場合、あるいは抽出できたとしても不安定な状態であった場合でも、安定してアラーム表示信号を挿入できるようにする。【解決手段】  アラーム表示信号の挿入するためのクロックとして出力側のネットワークのクロックを用い、ネットワーク間のクロックレートの違いを吸収するため、クロック差に応じた動作停止期間を設ける。【選択図】  図１
2008092407.tif 000002
【特許請求の範囲】
【請求項１】
第一のネットワークから到来したデータが書き込まれるデータ蓄積手段と、
このデータ蓄積手段からデータを読み出して第二のネットワークに伝送される形式に変換する手段と、
前記第一のネットワークから到来したデータに異常がある場合にはそのデータの所定の領域にアラーム表示信号を挿入する手段と
を備えたネットワーク・インタフェース装置において、
前記挿入する手段が前記データ蓄積手段の出力側に設けられ、
前記挿入する手段の動作期間として、前記第二のネットワークのクロックを基に、前記第一のネットワークのクロックとの差分の動作停止期間を制御する手段を備えた
ことを特徴とするネットワーク・インタフェース装置。
【請求項２】
前記第二のネットワークに伝送される形式は光伝送ユニットＯＴＵのフレーム形式であり、前記アラーム表示信号はクライアントＧＡＩＳ（Generic Alarm Indication Signal）である請求項１記載のネットワーク・インタフェース装置。
【請求項３】
第一のネットワークから到来したデータをデータ蓄積手段に書き込み、
このデータ蓄積手段からデータを読み出して第二のネットワークに伝送される形式に変換し、
前記第一のネットワークから到来したデータに異常がある場合にはそのデータの所定の領域にアラーム表示信号を挿入する
ネットワーク・インタフェース変換方法において、
アラーム表示信号の挿入を前記データ蓄積手段の出力側で前記第二のネットワークのクロックに基づいて行い、前記第一のネットワークのクロックとの差分の挿入停止期間を設ける
ことを特徴とするネットワーク・インタフェース変換方法。
【請求項４】
前記第二のネットワークに伝送される形式は光伝送ユニットＯＴＵのフレーム形式であり、前記アラーム表示信号はクライアントＧＡＩＳ（Generic Alarm Indication Signal）である請求項３記載のネットワーク・インタフェース変換方法。
【発明の詳細な説明】
【技術分野】
【０００１】
本発明はネットワーク間でデータ形式を変換して伝送するインタフェース回路に関する。特に、入力側のネットワークで障害が発生した場合のアラーム表示信号の挿入に関する。
【背景技術】
【０００２】
二つのネットワーク間でデータの形式を変換して伝送する場合、入力側のネットワークで発生した障害については、そのネットワーク側でアラーム表示信号を挿入している。図３に従来例のネットワーク・インタフェース装置を示す。ここでは、クライアント・ネットワーク（以下「クライアント側という）と非特許文献１で定義された光伝送ネットワーク（以下「ライン側」という）とを接続する場合を例に説明する。
【０００３】
クライアント側から到来したデータは、そのネットワークのクロックでＦＩＦＯ１２に書き込まれる。このデータはライン側のクロックでＦＩＦＯ１２から読み出され、フレーム処理回路１３により、ＯＰＵ（光ペイロード・ユニット）、ＯＤＵ（光データ・ユニット）およびＯＴＵ（光伝送ユニット）のフレーム形式に構成されて、ライン側に出力される。また、ライン側から到来したデータは、フレーム処理回路２１によりクライアント側のデータに再構成されてＦＩＦＯ２２に書き込まれ、クライアント側のクロックで読み出されてクライアント側に出力される。
【０００４】
このネットワーク・インタフェース装置にはまた、クライアントＧＡＩＳ（Generic
Alarm Indication Signal）挿入回路１１を備え、クライアント側からの入力に異常があった場合に、データの所定の領域にＧＡＩＳを挿入する。
【非特許文献１】ＩＴＵ−Ｔ勧告Ｇ．７０９
【発明の開示】
【発明が解決しようとする課題】
【０００５】
クライアントＧＡＩＳはあくまでクライアント側の信号であり、ライン側ではそれを単に伝送するだけで、その内容については関知していない。このため従来は、クライアントＧＡＩＳを生成するためのクロックとして、クライアント側のクロックが用いられていた。
【０００６】
しかし、クライアント側に入力異常がある場合には、そのクロックを抽出できなかったり、抽出できたとしても不安定な状態となる可能性がある。そのような場合には、安定したクライアントＧＡＩＳを挿入できないことになる。
【０００７】
本発明は、このような課題を解決し、クライアント側に入力異常があってもそのデータに確実にクライアントＧＡＩＳを挿入することのできるネットワーク・インタフェース装置およびネットワーク・インタフェース変換方法を提供することを目的とする。
【課題を解決するための手段】
【０００８】
本発明の第一の観点によると、第一のネットワークから到来したデータが書き込まれるデータ蓄積手段と、このデータ蓄積手段からデータを読み出して第二のネットワークに伝送される形式に変換する手段と、前記第一のネットワークから到来したデータに異常がある場合にはそのデータの所定の領域にアラーム表示信号を挿入する手段とを備えた構成において、前記挿入する手段が前記データ蓄積手段の出力側に設けられ、前記挿入する手段の動作期間として、前記第二のネットワークのクロックを基に、前記第一のネットワークのクロックとの差分の動作停止期間を制御する手段を備えたことを特徴とするネットワーク・インタフェース装置が提供される。
【０００９】
前記第二のネットワークに伝送される形式は光伝送ユニットＯＴＵのフレーム形式であり、前記アラーム表示信号はクライアントＧＡＩＳ（Generic Alarm Indication Signal）である。
【００１０】
本発明の第二の観点によると、第一のネットワークから到来したデータをデータ蓄積手段に書き込み、このデータ蓄積手段からデータを読み出して第二のネットワークに伝送される形式に変換し、前記第一のネットワークから到来したデータに異常がある場合にはそのデータの所定の領域にアラーム表示信号を挿入するネットワーク・インタフェース変換方法において、アラーム表示信号の挿入を前記データ蓄積手段の出力側で前記第二のネットワークのクロックに基づいて行い、前記第一のネットワークのクロックとの差分の挿入停止期間を設けることを特徴とするネットワーク・インタフェース変換方法が提供される。
【発明の効果】
【００１１】
本発明では、第一のネットワークのデータに対するアラーム表示信号を、第二のネットワークのクロックで挿入する。その際、ネットワーク間のクロックレートの違いを吸収するため、クロック差に応じた動作停止期間を設ける。これにより、クライアント側のクロックが抽出不能または不安定な状態でも、第一のネットワークのデータに安定にアラーム表示信号を挿入することができる。
【発明を実施するための最良の形態】
【００１２】
図１は本発明実施例のネットワーク・インタフェース装置を示すブロック構成図である。ここでは、クライアント・ネットワーク（クライアント側）と非特許文献１で定義された光伝送ネットワーク（ライン側）とを接続する場合であって、ライン側クロック対クライアント側クロック比が２５５対２３７の場合を例に説明する。
【００１３】
このネットワーク・インタフェース装置は、クライアント側から到来したデータが書き込まれるＦＩＦＯ１２と、このＦＩＦＯ１２からデータを読み出してライン側に伝送される形式に変換するフレーム処理回路１３と、クライアント側から到来したデータに異常がある場合にはそのデータの所定の領域にクライアントＧＡＩＳを挿入するクライアントＧＡＩＳ挿入回路１４とを備え、また、ライン側から到来したデータをクライアント側に伝送される形式に変換するフレーム処理回路２１と、変換されたデータが書き込まれそのデータをクライアント側のクロックに従って出力するＦＩＦＯ２２とを備える。
【００１４】
ここで本実施例の特徴とするところは、クライアントＧＡＩＳ挿入回路１４がＦＩＦＯ１２の出力側に設けられ、このクライアントＧＡＩＳ挿入回路１４の動作期間として、ライン側クロックを基にクライアント側クロックとの差分の動作停止期間を制御する停止制御回路１５を備えたことにある。
【００１５】
ライン側クロック対クライアント側クロック比が２５５対２３７の場合、停止制御回路１５は、ライン側クロックの２５５回に１８回を遮断し、それ以外を動作イネーブル信号としてクライアントＧＡＩＳ挿入回路１４に供給する。クライアントＧＡＩＳ挿入回路１４は、クライアント側からの入力に異常があった場合に、ＦＩＦＯ１２から読み出されたデータの所定の領域にＧＡＩＳを挿入する。クライアント側の入力異常の検出およびクライアントＧＡＩＳ挿入回路１４の起動および挿入する信号の詳細については従来通りであり、ここでは説明を省略する。
【００１６】
図２はクライアントＧＡＩＳ挿入回路１４の詳細の一例を示すブロック構成図である。このクライアントＧＡＩＳ挿入回路１４は、ＧＡＩＳ発生回路１４１と、セレクタ１４２とにより構成される。セレクタ１４２は、クライアント側に入力異常がないときには、セレクタ１４２はＦＩＦＯ１２の出力を選択する。クライアント側に入力異常がある場合には、ＦＩＦＯ１２から出力されるデータの所定の領域のタイミングでＧＡＩＳ発生回路１４１の出力を選択し、その領域にクライアントＧＡＩＳを挿入する。
【００１７】
以上の説明では非特許文献１で定義された光伝送ネットワーク（ＯＴＮ）のインタフェースでの実施例を示したが、本発明は、互いに異なるクロックで動作しデータ形式を変換して伝送するネットワーク間であれば、どのようなネットワーク間でも広く利用することができる。
【図面の簡単な説明】
【００１８】
【図１】本発明実施例のネットワーク・インタフェース装置を示すブロック構成図。
【図２】クライアントＧＡＩＳ挿入回路の詳細例を示すブロック構成図。
【図３】従来例のネットワーク・インタフェース装置を示すブロック構成図。
【符号の説明】
【００１９】
１１、１４  クライアントＧＡＩＳ挿入回路
１２、２２  ＦＩＦＯ
１３、２１  フレーム処理回路
１５  停止制御回路
１４１  ＧＡＩＳ発生回路
１４２  セレクタ
【図１】
2008092407.tif 000003
【図２】
2008092407.tif 000004
【図３】
2008092407.tif 000005